(57)【要約】【課題】ネットワークに接続可能な無線端末を適切に制限すること。【解決手段】無線端末装置は、位置情報取得部と、送信部とを備える。位置情報取得部は、無線端末装置の位置を示す位置情報を取得する。送信部は、ネットワークへの接続を要求する接続要求に位置情報を付加し、基地局装置へ送信する。基地局装置は、記憶部と、受信部と、接続制御部とを有する。記憶部は、ネットワークと無線端末装置との通信が許容される位置情報の範囲である通信許容範囲を記憶する。受信部は、無線端末装置から送信された接続要求を受信する。接続制御部は、受信された接続要求に付加された位置情報が通信許容範囲に属するか否かを判定し、位置情報に基づく無線端末装置の位置が、通信許容範囲に属する場合には、ネットワークへの接続を許可する接続許可応答を無線端末装置へ返信し、位置情報に基づく無線端末装置の位置が通信許容範囲に属さない場合には、接続許可応答の返信を中止する。【選択図】図１
2014007590.tif 000002
【特許請求の範囲】
【請求項１】
ネットワークへの接続を提供する基地局装置と、前記基地局装置を介して前記ネットワークへの接続を行う無線端末装置とを有する無線通信システムであって、
前記無線端末装置は、
前記無線端末装置の位置を示す位置情報を取得する位置情報取得部と、
前記ネットワークへの接続を要求する接続要求に前記位置情報を付加し、前記基地局装置へ送信する送信部と
を備え、
前記基地局装置は、
前記ネットワークと前記無線端末装置との通信が許容される前記位置情報の範囲である通信許容範囲を記憶する記憶部と、
前記無線端末装置から送信された前記接続要求を受信する受信部と、
受信された前記接続要求に付加された前記位置情報が前記通信許容範囲に属するか否かを判定し、前記位置情報に基づく前記無線端末装置の位置が、前記通信許容範囲に属する場合には、前記ネットワークへの接続を許可する接続許可応答を前記無線端末装置へ返信し、前記位置情報に基づく前記無線端末装置の位置が前記通信許容範囲に属さない場合には、前記接続許可応答の返信を中止する接続制御部と
を備えたことを特徴とする無線通信システム。
【請求項２】
前記送信部は、さらに、前記ネットワークへの接続が確立した後に前記基地局装置にデータの送信を要求するデータ要求に前記位置情報を付加し、前記位置情報を付加した前記データ要求を前記基地局装置へ定期的に送信し、
前記受信部は、前記無線端末装置から送信された前記データ要求を受信し、
前記接続制御部は、受信された前記データ要求に付加された前記位置情報が前記記憶部に記憶された前記通信許容範囲に属するか否かを判定し、前記位置情報に基づく前記無線端末装置の位置が前記通信許容範囲に属する場合には、前記ネットワークへの接続を継続し、前記位置情報に基づく前記無線端末装置の位置が前記通信許容範囲に属さない場合には、前記ネットワークへの接続を切断することを特徴とする請求項１に記載の無線通信システム。
【請求項３】
前記記憶部は、前記無線端末装置の識別情報に対応付けて前記通信許容範囲を記憶し、
前記接続制御部は、前記記憶部に記憶された、前記接続要求の送信元または前記データ要求の送信元となる前記無線端末装置の識別情報に対応する前記通信許容範囲に、受信された前記接続要求または前記データ要求に付加された前記位置情報に基づく前記無線端末装置の位置が属するか否かを判定することを特徴とする請求項１または２に記載の無線通信システム。
【請求項４】
前記基地局装置は、
前記通信許容範囲を取得する通信許容範囲取得部と、
取得された前記通信許容範囲を前記記憶部に登録する通信許容範囲登録部と
をさらに備えたことを特徴とする請求項１〜３のいずれか一つに記載の無線通信システム。
【請求項５】
ネットワークへの接続を提供する基地局装置と、前記基地局装置を介して前記ネットワークへの接続を行う無線端末装置とを含む無線通信システムにおける前記無線端末装置であって、
前記無線端末装置の位置を示す位置情報を取得する位置情報取得部と、
前記ネットワークへの接続を要求する接続要求に対して前記位置情報を付加し、前記基地局装置へ送信する送信部と
を備えたことを特徴とする無線端末装置。
【請求項６】
ネットワークへの接続を提供する基地局装置と、前記基地局装置を介して前記ネットワークへの接続を行う無線端末装置とを含む無線通信システムにおける前記基地局装置であって、
前記ネットワークと前記無線端末装置との通信が許容される前記位置情報の範囲である通信許容範囲を記憶する記憶部と、
前記無線端末装置から送信された、前記ネットワークへの接続を要求する接続要求を受信する受信部と、
受信された前記接続要求に付加された前記位置情報が前記記憶部に記憶された前記通信許容範囲に属するか否かを判定し、前記位置情報に基づく前記無線端末装置の位置が前記通信許容範囲に属する場合には、前記ネットワークへの接続を許可する接続許可応答を前記無線端末装置へ返信し、前記位置情報に基づく前記無線端末装置の位置が前記通信許容範囲に属さない場合には、前記接続許可応答の返信を中止する接続制御部と
を備えたことを特徴とする基地局装置。
【請求項７】
ネットワークへの接続を提供する基地局装置と、前記基地局装置を介して前記ネットワークへの接続を行う無線端末装置とを含む無線通信システムにより実行される通信制御方法であって、
前記無線端末装置が、
前記無線端末装置の位置を示す位置情報を取得し、
前記ネットワークへの接続を要求する接続要求に対して前記位置情報を付加し、前記基地局装置へ送信し、
前記ネットワークと前記無線端末装置との通信が許容される前記位置情報の範囲である通信許容範囲を記憶する記憶部を備えた前記基地局装置が、
前記無線端末装置から送信された前記接続要求を受信し、
受信された前記接続要求に含まれる前記位置情報が前記記憶部に記憶された前記通信許容範囲に属するか否かを判定し、
前記位置情報に基づく前記無線端末装置の位置が前記通信許容範囲に属する場合には、前記ネットワークへの接続を許可する接続許可応答を前記無線端末装置へ返信し、前記位置情報に基づく前記無線端末装置の位置が前記通信許容範囲に属さない場合には、前記接続許可応答の返信を中止する
ことを含んだことを特徴とする通信制御方法。
【発明の詳細な説明】
【技術分野】
【０００１】
本発明は、無線通信システム、無線端末装置、基地局装置および通信制御方法に関する。
【背景技術】
【０００２】
無線ＬＡＮ（Wireless  Local  Area  Network）と呼ばれるネットワークとのデータ通信が可能な無線端末装置（以下「無線端末」という）の普及に伴い、無線ＬＡＮの通信スポットが整備されつつある。無線ＬＡＮの各通信スポットには、アクセスポイントと呼ばれる無線ＬＡＮ基地局装置（以下「基地局」という）が設置される。基地局は、無線ＬＡＮへの接続を提供する。無線端末は、かかる基地局を介して無線ＬＡＮへの接続を行う。
【０００３】
従来、無線端末が基地局からの電波の到達範囲に入ると、基地局から一斉送信されるビーコン信号に含まれるＳＳＩＤ（Service  Set  Identifier；サービスセット識別子）と、無線端末に予め設定されたＳＳＩＤとが一致するか否かの認証（認証処理）が行われる。そして、認証処理が確立された無線端末のみが無線ＬＡＮへの接続を許可され、その後、無線ＬＡＮと無線端末とのデータ通信が開始される。
【先行技術文献】
【特許文献】
【０００４】
【特許文献１】特開２０１１−１３００７６号公報
【発明の概要】
【発明が解決しようとする課題】
【０００５】
しかしながら、上述した従来技術では、無線端末が基地局からの電波の到達範囲に入りさえすれば、無線端末から無線ＬＡＮへの接続が許可される可能性がある。例えば、無線端末が基地局からの電波の到達範囲に入ったことを契機として認証処理が行われ、この認証処理が成功した場合には、無線端末から無線ＬＡＮへの接続が許可される。この場合には、無線ＬＡＮに接続可能な無線端末が無制限に増大してしまう恐れがある。無線ＬＡＮに接続可能な無線端末が過度に増大することは、無線ＬＡＮのセキュリティの維持の観点から好ましくない。
【０００６】
開示の技術は、上記に鑑みてなされたものであって、ネットワークに接続可能な無線端末を適切に制限することができる無線通信システム、無線端末装置、基地局装置および通信制御方法を提供することを目的とする。
【課題を解決するための手段】
【０００７】
本願の開示する無線通信システムは、一つの態様において、ネットワークへの接続を提供する基地局装置と、前記基地局装置を介して前記ネットワークへの接続を行う無線端末装置とを有する。前記無線端末装置は、位置情報取得部と、送信部とを備える。位置情報取得部は、前記無線端末装置の位置を示す位置情報を取得する。送信部は、前記ネットワークへの接続を要求する接続要求に前記位置情報を付加し、前記基地局装置へ送信する。前記基地局装置は、記憶部と、受信部と、接続制御部とを有する。記憶部は、前記ネットワークと前記無線端末装置との通信が許容される前記位置情報の範囲である通信許容範囲を記憶する。受信部は、前記無線端末装置から送信された前記接続要求を受信する。接続制御部は、受信された前記接続要求に付加された前記位置情報が前記通信許容範囲に属するか否かを判定し、前記位置情報に基づく前記無線端末装置の位置が、前記通信許容範囲に属する場合には、前記ネットワークへの接続を許可する接続許可応答を前記無線端末装置へ返信し、前記位置情報に基づく前記無線端末装置の位置が前記通信許容範囲に属さない場合には、前記接続許可応答の返信を中止する。
【発明の効果】
【０００８】
本願の開示する無線通信システムの一つの態様によれば、ネットワークに接続可能な無線端末を適切に制限することができるという効果を奏する。
【図面の簡単な説明】
【０００９】
【図１】図１は、本実施例に係る無線通信システムの構成例を示す図である。
【図２】図２は、本実施例における無線端末の構成例を示す図である。
【図３】図３は、接続要求およびデータ要求のフレームのフォーマットの一例を示す図である。
【図４】図４は、本実施例における基地局の構成例を示す図である。
【図５】図５は、記憶部に記憶された通信許容範囲の情報の一例を示す図である。
【図６】図６は、本実施例に係る無線通信システムによる通信許容範囲登録処理の処理手順を示すシーケンス図である。
【図７】図７は、本実施例に係る無線通信システムによる接続前通信処理の処理手順を示すシーケンス図である。
【図８】図８は、本実施例に係る無線通信システムによる接続後通信処理の処理手順を示すシーケンス図である。
【図９】図９は、無線端末のハードウェア構成図である。
【図１０】図１０は、基地局のハードウェア構成図である。
【発明を実施するための形態】
【００１０】
以下に、本願の開示する無線通信システム、無線端末装置、基地局装置および通信制御方法の実施例を図面に基づいて詳細に説明する。なお、この実施例により開示技術が限定されるものではない。
【実施例】
【００１１】
図１は、本実施例に係る無線通信システムの構成例を示す図である。図１に示すように、本実施例に係る無線通信システムは、無線端末１０ａ、１０ｂと、基地局２０と、ネットワーク３０を有する。ネットワーク３０は、複数のコンピュータ等によって構築される通信網であり、例えば、無線ＬＡＮである。
【００１２】
基地局２０は、ネットワーク３０の各通信スポットに設置されており、ネットワーク３０への接続を無線端末１０ａ、１０ｂに対して提供する。
【００１３】
無線端末１０ａ、１０ｂは、基地局２０を介してネットワーク３０への接続を行う。例えば、無線端末１０ａ、１０ｂは、基地局２０からの電波の到達範囲２１に入った場合に、ネットワーク３０への接続を要求する接続要求を基地局２０へ送信する。なお、ＩＥＥＥ  ８０２.１１の無線ＬＡＮ仕様によれば、接続要求は、Ｐｒｏｂｅ  Ｒｅｑｕｅｓｔと定義される。以下では、無線端末１０ａ、１０ｂのそれぞれを特に区別しない場合には、これらをまとめて「無線端末１０」という。
【００１４】
無線端末１０は、無線端末１０の位置を示す位置情報を取得する。本実施例では、無線端末１０は、ＧＰＳ（Global  Positioning  System）機能等を用いて無線端末１０の位置座標を位置情報として取得する。そして、無線端末１０は、接続要求に位置座標を付加し、位置座標を付加した接続要求を基地局２０へ送信する。
【００１５】
一方で、基地局２０は、ネットワーク３０と無線端末１０との通信が許容される位置座標の範囲である通信許容範囲２２の情報を所定の記憶部に予め記憶している。通信許容範囲２２は、例えば基地局２０からの電波の到達範囲２１よりも狭い範囲に設定される。そして、基地局２０は、無線端末１０から送信された接続要求を受信する。基地局２０は、受信された接続要求に付加された位置座標が所定の記憶部に記憶された通信許容範囲２２に属するか否かを判定する。
【００１６】
そして、基地局２０は、位置座標が通信許容範囲２２に属する場合には、ネットワーク３０への接続を許可する接続許可応答を無線端末１０へ返信する。一方、基地局２０は、位置座標が通信許容範囲２２に属さない場合には、接続許可応答の返信を中止する。図１に示す例では、無線端末１０ａの位置を示す位置座標が通信許容範囲２２に属するので、基地局２０は、接続許可応答を無線端末１０ａへ返信する。一方、無線端末１０ｂの位置を示す位置座標が通信許容範囲２２に属さないので、基地局２０は、無線端末１０ｂに対する接続許可応答の返信を中止する。なお、ＩＥＥＥ  ８０２.１１の無線ＬＡＮ仕様によれば、接続許可応答は、Ｐｒｏｂｅ  Ｒｅｓｐｏｎｓｅと定義される。
【００１７】
このように、本実施例の無線通信システムでは、基地局２０が、無線端末１０から受信した接続要求に付加された無線端末１０の位置座標が所定の記憶部に予め記憶された通信許容範囲２２に属さない場合に、接続許可応答の返信を中止する。このため、基地局２０は、無線端末１０が基地局２０からの電波の到達範囲２１に入った場合でも、無線端末１０の位置座標が通信許容範囲２２に属さない場合には、無線端末１０からネットワーク３０への接続を拒絶することができる。これにより、ネットワーク３０に接続可能な無線端末が過度に増大することを回避することができる。
【００１８】
次に、図２を参照して、図１に示した無線端末１０の構成を説明する。図２は、本実施例における無線端末の構成例を示す図である。図２に示すように、無線端末１０は、無線制御部１０１と、外部Ｉ／Ｆ制御部１０２と、位置情報取得部１０３と、信号送信部１０４とを有する。また、無線端末１０は、無線制御部１０１に接続するアンテナを有する。
【００１９】
無線制御部１０１は、無線端末１０と基地局２０との間の無線通信を制御する。無線制御部１０１は、無線端末１０の位置座標の送信の指示をアンテナを介して基地局２０から受信する。無線制御部１０１は、受信した位置座標の送信の指示を位置情報取得部１０３へ出力する。
【００２０】
また、無線制御部１０１は、無線端末１０の位置座標の入力を位置情報取得部１０３から受け付け、受け付けた位置座標をアンテナを介して基地局２０へ送信する。
【００２１】
また、無線制御部１０１は、接続要求の入力を信号送信部１０４から受け付ける。無線制御部１０１は、受け付けた接続要求をアンテナを介して基地局２０へ送信する。
【００２２】
また、無線制御部１０１は、接続許可応答の返信をアンテナを介して基地局２０から受信する。無線制御部１０１は、受信した接続許可応答を信号送信部１０４へ出力する。
【００２３】
また、無線制御部１０１は、データ要求の入力を信号送信部１０４から受け付ける。データ要求は、ネットワーク３０への接続が確立した後に無線端末１０が基地局２０にデータの送信を要求する信号である。なお、ＩＥＥＥ  ８０２.１１の無線ＬＡＮ仕様によれば、接続要求は、ＰＳ−Ｐｏｌｌ（Power  Save-Poll）と定義される。無線制御部１０１は、受け付けたデータ要求をアンテナを介して基地局２０へ送信する。
【００２４】
外部Ｉ／Ｆ制御部１０２は、無線端末１０と外部装置との間の有線通信を制御する。外部Ｉ／Ｆ制御部１０２は、無線端末１０の位置座標の送信の指示をＬＡＮケーブル等のケーブル（不図示）を介して基地局２０から受信する。外部Ｉ／Ｆ制御部１０２は、受信した位置座標の送信の指示を位置情報取得部１０３へ出力する。
【００２５】
また、外部Ｉ／Ｆ制御部１０２は、無線端末１０の位置座標の入力を位置情報取得部１０３から受け付け、受け付けた無線端末１０の位置座標をケーブルを介して基地局２０へ送信する。
【００２６】
位置情報取得部１０３は、無線端末１０の位置を示す位置座標（以下適宜「無線端末１０の位置座標」という）を取得する。例えば、位置情報取得部１０３は、ＧＰＳ（Global  Positioning  System）衛星から位置情報を取得できるＧＰＳ機能を備えており、このＧＰＳ機能を用いて、無線端末１０の位置座標を取得する。また、例えば、位置情報取得部１０３は、ユーザが操作する所定の入力部から受け付けた位置情報を用いて、無線端末１０の位置情報を取得することも可能である。位置情報取得部１０３は、取得した無線端末１０の位置座標を信号送信部１０４へ出力する。なお、位置情報としては、位置座標の他、例えば任意の基準点からの距離及び方位など、無線端末１０の位置を示す他の情報を用いることもできる。
【００２７】
また、位置情報取得部１０３は、接続要求の送信タイミングを信号送信部１０４から受け付ける。位置情報取得部１０３は、受け付けた接続要求の送信タイミングよりも前のタイミングで、無線端末１０の位置座標を取得し、取得した無線端末１０の位置座標を信号送信部１０４へ出力する。
【００２８】
また、位置情報取得部１０３は、データ要求の送信タイミングを信号送信部１０４から受け付ける。位置情報取得部１０３は、受け付けたデータ要求の送信タイミングよりも前のタイミングで、無線端末１０の位置座標を取得し、取得した無線端末１０の位置座標を信号送信部１０４へ出力する。
【００２９】
また、位置情報取得部１０３は、基地局２０から受信した位置座標の送信の指示を無線制御部１０１から受け付けた場合にも、無線端末１０の位置座標を取得する。この場合には、位置情報取得部１０３は、取得した無線端末１０の位置座標を、無線端末１０を一意に識別する識別情報（以下「端末ＩＤ：Identifier）」という）と共に無線制御部１０１へ出力する。
【００３０】
また、位置情報取得部１０３は、基地局２０から受信した位置座標の送信の指示を外部Ｉ／Ｆ制御部１０２から受け付けた場合にも、無線端末１０の位置座標を取得する。この場合には、位置情報取得部１０３は、取得した無線端末１０の位置座標を端末ＩＤと共にＩ／Ｆ制御部１０２へ出力する。
【００３１】
信号送信部１０４は、無線端末１０とネットワーク３０との間の通信に利用される各種の信号を生成する。例えば、信号送信部１０４は、ネットワーク３０への接続を要求する接続要求や、ネットワーク３０への接続が確立した後に基地局２０にデータの送信を要求するデータ要求を生成する。
【００３２】
また、信号送信部１０４は、接続要求の送信のタイミングで、無線端末１０の位置座標の入力を位置情報取得部１０３から受け付ける。信号送信部１０４は、生成した接続要求に、受け付けた無線端末１０の位置座標を付加する。信号送信部１０４は、生成した接続要求に、無線端末１０の端末ＩＤをさらに付加する。そして、信号送信部１０４は、無線端末１０の位置座標および端末ＩＤを付加した接続要求を無線制御部１０１へ定期的に出力する。信号送信部１０４は、送信部の一例である。
【００３３】
また、信号送信部１０４は、データ要求の送信のタイミングで、無線端末１０の位置座標の入力を位置情報取得部１０３から受け付ける。信号送信部１０４は、生成したデータ要求に、受け付けた無線端末１０の位置座標を付加する。信号送信部１０４は、生成したデータ要求に、端末ＩＤをさらに付加する。そして、信号送信部１０４は、無線端末１０の位置座標および端末ＩＤを付加したデータ要求を無線制御部１０１へ定期的に出力する。
【００３４】
図３は、接続要求およびデータ要求のフレームのフォーマットの一例を示す図である。接続要求およびデータ要求のフレームには、同一のフォーマットが用いられる。図３に示すように、信号送信部１０４は、接続要求またはデータ要求のＤａｔａフィールドに対して、無線端末１０の位置座標としてのＸ−Ｐｏｉｎｔ、Ｙ−ＰｏｉｎｔおよびＺ−Ｐｏｉｎｔを付加する。Ｘ−Ｐｏｉｎｔは、無線端末１０のＸ座標を示し、Ｙ−Ｐｏｉｎｔは、無線端末１０のＹ座標を示し、Ｚ−Ｐｏｉｎｔは、無線端末１０のＺ座標を示す。さらに、信号送信部１０４は、接続要求またはデータ要求のＤａｔａフィールドに対して、端末ＩＤを付加する。図３に示すフォーマットは、Ｄａｔａフィールド以外に、ＦｒａｍｅＣｏｎｔｒｏｌ、Ｄｕｒａｔｉｏｎ／ＩＤ、Ａｄｄｒｅｓｓ１、Ａｄｄｒｅｓｓ２、Ａｄｄｒｅｓｓ３、ＳｅｑｕｅｃｅＣｏｎｒｏｌ、Ａｄｄｒｅｓｓ４およびＦＳＣという各フィールドを有する。ＦｒａｍｅＣｏｎｔｒｏｌフィールドは、フレームの種類を示す。ＦｒａｍｅＣｏｎｔｒｏｌフィールドに設定される値が「０ｘ０４００」である場合には、フレームが接続要求（Probe  Request）であることを表す。ＦｒａｍｅＣｏｎｔｒｏｌフィールドに設定される値が「０ｘ１６００」である場合には、フレームがデータ要求（PS-Poll）であることを表す。
【００３５】
次に、図４を参照して、図１に示した基地局２０の構成を説明する。図４は、本実施例における基地局の構成例を示す図である。図４に示すように、基地局２０は、無線制御部２０１と、外部Ｉ／Ｆ制御部２０２と、記憶部２０３と、接続制御部２０４と、通信許容範囲取得部２０５と、通信許容範囲登録部２０６とを有する。また、基地局２０は、無線制御部２０１に接続するアンテナを有する。
【００３６】
無線制御部２０１は、無線端末１０と基地局２０との間の無線通信を制御する。無線制御部２０１は、無線端末１０の位置座標の送信の指示を通信許容範囲取得部２０５から受け付ける。無線制御部２０１は、受け付けた無線端末１０の位置座標の送信の指示をアンテナを介して無線端末１０へ送信する。
【００３７】
また、無線制御部２０１は、無線端末１０の位置座標および端末ＩＤをアンテナを介して無線端末１０から受信する。無線制御部２０１は、受信した無線端末１０の位置座標および端末ＩＤを通信許容範囲取得部２０５へ出力する。
【００３８】
また、無線制御部２０１は、無線端末１０の位置座標および端末ＩＤが付加された接続要求をアンテナを介して無線端末１０から受信する。無線制御部２０１は、受信した接続要求を接続制御部２０４へ出力する。無線制御部２０１は、受信部の一例である。
【００３９】
また、無線制御部２０１は、接続許可応答の入力を接続制御部２０４から受け付ける。無線制御部２０１は、受け付けた接続許可応答をアンテナを介して無線端末１０へ送信する。
【００４０】
また、無線制御部２０１は、無線端末１０の位置座標および端末ＩＤが付加されたデータ要求をアンテナを介して無線端末１０から受信する。無線制御部２０１は、受信した接続要求を接続制御部２０４へ出力する。
【００４１】
外部Ｉ／Ｆ制御部２０２は、基地局２０と外部装置との間の有線通信を制御する。外部Ｉ／Ｆ制御部２０２は、無線端末１０の位置座標の送信の指示を通信許容範囲取得部２０５から受け付ける。外部Ｉ／Ｆ制御部２０２は、受け付けた無線端末１０の位置座標の送信の指示をＬＡＮケーブル等のケーブル（不図示）を介して無線端末１０へ送信する。
【００４２】
また、外部Ｉ／Ｆ制御部２０２は、無線端末１０の位置座標および端末ＩＤをケーブルを介して無線端末１０から受信する。外部Ｉ／Ｆ制御部２０２は、受信した無線端末１０の位置座標および端末ＩＤを通信許容範囲取得部２０５へ出力する。
【００４３】
記憶部２０３は、メモリやハードディスクなどの記憶装置である。記憶部２０３は、ネットワーク３０と無線端末１０との通信が許容される位置座標の範囲である通信許容範囲の情報を記憶する。図５は、記憶部に記憶された通信許容範囲の情報の一例を示す図である。図５に示すように、記憶部２０３は、無線端末１０の識別情報である端末ＩＤに対応付けて通信許容範囲の情報を記憶する。換言すれば、記憶部２０３は、無線端末１０ごとに異なる又は同一の通信許容範囲の情報を記憶する。図５に示す例では、記憶部２０３は、無線端末１０ごとに異なる通信許容範囲の情報を記憶する。例えば、記憶部２０３の一行目は、端末ＩＤが「ＩＤ１」である無線端末１０に対応する通信許容範囲が（Ｘ，Ｙ，Ｚ）＝（ｘ１１，ｙ１１，ｚ１１）、（ｘ１２，ｙ１２，ｚ１２）、（ｚ１１，ｚ１２，ｚ１３）、…を結ぶ範囲であることを示す。また、例えば、記憶部２０３の二行目は、端末ＩＤが「ＩＤ２」である無線端末１０に対応する通信許容範囲が（Ｘ，Ｙ，Ｚ）＝（ｘ２１，ｙ２１，ｚ２１）、（ｘ２２，ｙ２２，ｚ２２）、（ｚ２１，ｚ２２，ｚ２３）、…を結ぶ範囲であることを示す。なお、記憶部２０３に記憶されている通信許容範囲の情報は、後述の通信許容範囲登録部２０６によって登録される。
【００４４】
接続制御部２０４は、無線端末１０から受信した接続要求を無線制御部２０１から受け付ける。接続制御部２０４は、接続要求に付加された無線端末１０の位置座標が記憶部２０３に記憶された通信許容範囲に属するか否かを判定する。具体的には、接続制御部２０４は、まず、接続要求に付加された無線端末１０の位置座標および端末ＩＤを抽出する。続いて、接続制御部２０４は、抽出された端末ＩＤ、すなわち、接続要求の送信元となる無線端末１０の端末ＩＤをキーとして記憶部２０３を検索し、その端末ＩＤに対応する通信許容範囲に、抽出された無線端末１０の位置座標が属するか否かを判定する。
【００４５】
そして、接続制御部２０４は、接続要求に付加された無線端末１０の位置座標が記憶部２０３に記憶された通信許容範囲に属する場合には、ネットワーク３０への接続を許可する接続許可応答を無線制御部２０１へ出力する。これにより、接続許可応答を受信した無線端末１０と基地局２０との間で認証処理やネットワーク接続処理が行われ、無線端末１０からネットワーク３０への接続が確立する。なお、認証処理やネットワーク接続処理は、従来行われているものと同様であるのでその説明を省略する。一方で、接続制御部２０４は、接続要求に付加された無線端末１０の位置座標が記憶部２０３に記憶された通信許容範囲に属さない場合には、無線端末１０に対する接続許可応答の返信を中止する。これにより、無線端末１０からネットワーク３０への接続が拒絶される。
【００４６】
図１の例では、接続制御部２０４は、接続要求に付加された無線端末１０ａの位置座標が記憶部２０３に記憶された通信許容範囲に属するので、無線端末１０ａに対する接続許可応答を無線制御部２０１へ出力する。一方、図１の例では、接続制御部２０４は、接続要求に付加された無線端末１０ｂの位置座標が記憶部２０３に記憶された通信許容範囲に属さないので、無線端末１０ｂに対する接続許可応答の返信を中止する。
【００４７】
また、接続制御部２０４は、無線端末１０から受信したデータ要求を無線制御部２０１から受け付ける。接続制御部２０４は、データ要求に付加された無線端末１０の座標位置が記憶部２０３に記憶された通信許容範囲に属するか否かを判定する。具体的には、接続制御部２０４は、まず、データ要求に付加された無線端末１０の位置座標および端末ＩＤを抽出する。続いて、接続制御部２０４は、抽出された端末ＩＤ、すなわち、データ要求の送信元となる無線端末１０の端末ＩＤをキーとして記憶部２０３を検索し、その端末ＩＤに対応する通信許容範囲に、抽出された無線端末１０の位置座標が属するか否かを判定する。
【００４８】
そして、接続制御部２０４は、データ要求に付加された無線端末１０の位置座標が記憶部２０３に記憶された通信許容範囲に属する場合には、無線端末１０からネットワーク３０への接続を継続する。一方で、接続制御部２０４は、データ要求に付加された無線端末１０の位置座標が記憶部２０３に記憶された通信許容範囲に属さない場合には、無線端末１０からネットワーク３０への接続を切断する。
【００４９】
図１の例では、接続制御部２０４は、データ要求に付加された無線端末１０ａの位置座標が記憶部２０３に記憶された通信許容範囲に属するので、無線端末１０ａからネットワーク３０への接続を継続する。一方で、図１の例において、無線端末１０ａが通信許容範囲２２の外部へ移動した場合を想定する。この場合には、接続制御部２０４は、データ要求に付加された無線端末１０ａの位置座標が記憶部２０３に記憶された通信許容範囲に属さなくなるので、無線端末１０ａからネットワーク３０への接続を切断する。
【００５０】
通信許容範囲取得部２０５は、通信許容範囲を取得する。具体的には、通信許容範囲取得部２０５は、無線端末１０の位置座標の送信の指示を無線制御部２０１へ出力する。例えば、通信許容範囲取得部２０５は、複数の座標点（例えば立方体の頂点を形成する８点）分だけ無線端末１０の位置座標を送信する指示を無線制御部２０１へ出力する。そして、通信許容範囲取得部２０５は、無線端末１０から複数の座標点分だけ送信される無線端末１０の位置座標を無線制御部２０１から順次受け取ることによって、通信許容範囲を取得する。さらに、通信許容範囲取得部２０５は、無線端末１０の位置座標に付随する端末ＩＤを無線制御部２０１から受け取る。そして、通信許容範囲取得部２０５は、取得した通信許容範囲および端末ＩＤの組みを通信許容範囲登録部２０６へ出力する。
【００５１】
通信許容範囲登録部２０６は、通信許容範囲取得部２０５によって取得された通信許容範囲を記憶部２０３に登録する。具体的には、通信許容範囲登録部２０６は、通信許容範囲および端末ＩＤの組みを通信許容範囲登録部２０６から受け付ける。そして、通信許容範囲登録部２０６は、通信許容範囲および端末ＩＤの組みを記憶部２０３に登録する。これにより、通信許容範囲登録部２０６は、無線端末１０ごとに異なる通信許容範囲の情報を記憶部２０３に登録することができる。このため、無線端末１０の所有者ごとに異なる通信許容範囲を設定することが可能となり、通信許容範囲の設定の自由度を向上することができる。
【００５２】
次に、図６〜図８を参照して、本実施例に係る無線通信システムの処理の流れについて説明する。図６は、本実施例に係る無線通信システムによる通信許容範囲登録処理の処理手順を示すシーケンス図である。図６では、基地局２０が位置座標の送信を無線端末１０に指示してから、基地局２０が通信許容範囲を登録するまでの処理手順について説明する。
【００５３】
図６に示すように、基地局２０は、位置座標の送信の指示を無線端末１０へ送信する（ステップＳ１０１）。例えば、基地局２０は、複数の座標点（例えば立方体の頂点を形成する８点）分だけ無線端末１０の位置座標を送信する旨の指示を無線端末１０へ送信する。
【００５４】
無線端末１０は、位置座標の送信の指示を基地局２０から受信する（ステップＳ１０２）。無線端末１０は、無線端末１０の位置座標を取得する（ステップＳ１０３）。例えば、無線端末１０は、ＧＰＳ機能を用いて、無線端末１０の位置座標を取得する。無線端末１０は、取得した無線端末１０の位置座標を基地局２０へ送信する（ステップＳ１０４）。
【００５５】
基地局２０は、無線端末１０の位置座標を無線端末１０から受信する（ステップＳ１０５）。例えば、ステップＳ１０３〜Ｓ１０５の処理は、複数の座標点（例えば立方体の頂点を形成する８点）に相当する無線端末１０の位置座標が基地局２０により受信されるまで繰り返し実行される。基地局２０は、無線端末１０から複数の座標点分だけ送信される無線端末１０の位置座標を順次受信することによって、通信許容範囲を取得する（ステップＳ１０６）。このとき、基地局２０は、無線端末１０の位置座標に付随する端末ＩＤを無線端末１０から受信する。基地局２０は、取得された通信許容範囲および端末ＩＤの組みを記憶部２０３に登録する（ステップＳ１０７）。
【００５６】
図７は、本実施例に係る無線通信システムによる接続前通信処理の処理手順を示すシーケンス図である。図７では、図６に示した処理の後に、無線端末１０がネットワーク３０への接続を試みるまでの処理手順について説明する。なお、以下では、接続要求の送信タイミングは定期的に到来するものとして説明を行う。
【００５７】
図７に示すように、無線端末１０は、接続要求の送信タイミングよりも前のタイミングで、無線端末１０の位置座標を取得する（ステップＳ２０１）。無線端末１０は、接続要求の送信タイミングが到来した場合に、接続要求を生成し、生成した接続要求にステップＳ２０１で取得した無線端末１０の位置座標を付加する（ステップＳ２０２）。このとき、無線端末１０は、生成した接続要求に端末ＩＤをさらに付加する。無線端末１０は、無線端末１０の位置座標および端末ＩＤが付加された接続要求を基地局２０へ送信する（ステップＳ２０３）。
【００５８】
基地局２０は、無線端末１０の位置座標および端末ＩＤが付加された接続要求を無線端末１０から受信する（ステップＳ２０４）。基地局２０は、接続要求に付加された無線端末１０の位置座標を抽出する（ステップＳ２０５）。このとき、基地局２０は、接続要求に付加された端末ＩＤを抽出する。基地局２０は、抽出された無線端末１０の位置座標が記憶部２０３に記憶された通信許容範囲に属するか否かを判定する（ステップＳ２０６）。具体的には、基地局２０は、抽出された端末ＩＤ、すなわち、接続要求の送信元となる無線端末１０の端末ＩＤをキーとして記憶部２０３を検索し、その端末ＩＤに対応する通信許容範囲に、抽出された無線端末１０の位置座標が属するか否かを判定する。
【００５９】
基地局２０は、無線端末１０の位置座標が記憶部２０３に記憶された通信許容範囲に属する場合には（ステップＳ２０６；Ｙｅｓ）、ネットワーク３０への接続を許可する接続許可応答を無線端末１０へ返信する（ステップＳ２０７）。これにより、接続許可応答を受信した無線端末１０と基地局２０との間で認証処理やネットワーク接続処理が行われ、無線端末１０からネットワーク３０への接続が確立する（ステップＳ２０８）。
【００６０】
一方で、基地局２０は、無線端末１０の位置座標が記憶部２０３に記憶された通信許容範囲に属さない場合には（ステップＳ２０６；Ｎｏ）、無線端末１０に対する接続許可応答の返信を中止し（ステップＳ２０９）、処理を終了する。これにより、無線端末１０からネットワーク３０への接続が拒絶される。
【００６１】
図８は、本実施例に係る無線通信システムによる接続後通信処理の処理手順を示すシーケンス図である。図８では、図７の処理において無線端末１０からネットワーク３０への接続が確立した後に（図７のステップＳ２０６；Ｙｅｓ、Ｓ２０７、Ｓ２０８）、無線端末１０が基地局２０にデータの送信を要求するまでの処理手順について説明する。なお、以下では、データ要求の送信タイミングは定期的に到来するものとして説明を行う。
【００６２】
図８に示すように、無線端末１０は、データ要求の送信タイミングよりも前のタイミングで、無線端末１０の位置座標を取得する（ステップＳ３０１）。無線端末１０は、データ要求の送信タイミングが到来した場合に、データ要求を生成し、生成したデータ要求にステップＳ３０１で取得した無線端末１０の位置座標を付加する（ステップＳ３０２）。このとき、無線端末１０は、生成したデータ要求に端末ＩＤをさらに付加する。無線端末１０は、無線端末１０の位置座標および端末ＩＤが付加されたデータ要求を基地局２０へ送信する（ステップＳ３０３）。
【００６３】
基地局２０は、無線端末１０の位置座標および端末ＩＤが付加されたデータ要求を無線端末１０から受信する（ステップＳ３０４）。基地局２０は、データ要求に付加された無線端末１０の位置座標を抽出する（ステップＳ３０５）。このとき、基地局２０は、データ要求に付加された端末ＩＤを抽出する。基地局２０は、抽出された無線端末１０の位置座標が記憶部２０３に記憶された通信許容範囲に属するか否かを判定する（ステップＳ３０６）。具体的には、基地局２０は、抽出された端末ＩＤ、すなわち、データ要求の送信元となる無線端末１０の端末ＩＤをキーとして記憶部２０３を検索し、その端末ＩＤに対応する通信許容範囲に、抽出された無線端末１０の位置座標が属するか否かを判定する。
【００６４】
基地局２０は、無線端末１０の位置座標が記憶部２０３に記憶された通信許容範囲に属する場合には（ステップＳ３０６；Ｙｅｓ）、無線端末１０からネットワーク３０への接続を継続する（ステップＳ３０７）。
【００６５】
一方で、基地局２０は、無線端末１０の位置座標が記憶部２０３に記憶された通信許容範囲に属さない場合には（ステップＳ３０６；Ｎｏ）、無線端末１０からネットワーク３０への接続を切断し（ステップＳ３０８）、処理を終了する。
【００６６】
上述したように、本実施例の無線通信システムでは、無線端末１０は、無線端末１０の位置座標を取得する。無線端末１０は、ネットワーク３０への接続を要求する接続要求に、取得した無線端末１０の位置座標を付加し、無線端末１０の位置座標を付加した接続要求を基地局２０へ送信する。基地局２０は、無線端末１０から送信された接続要求を受信し、接続要求に付加された無線端末１０の位置座標が記憶部２０３に記憶された通信許容範囲に属するか否かを判定する。基地局２０は、無線端末１０の位置座標が通信許容範囲に属する場合には、ネットワーク３０への接続を許可する接続許可応答を無線端末１０へ返信し、無線端末１０の位置座標が通信許容範囲に属さない場合には、接続許可応答の返信を中止する。このため、基地局２０は、無線端末１０が基地局２０からの電波の到達範囲に入った場合でも、無線端末１０の位置座標が通信許容範囲に属さない場合には、無線端末１０からネットワーク３０への接続を拒絶することができる。これにより、ネットワーク３０に接続可能な無線端末が過度に増大することを回避することができる。結果として、本実施例の無線通信システムよれば、ネットワークに接続可能な無線端末を適切に制限することができ、例えば無線ＬＡＮなどのネットワークのセキュリティを向上することができる。
【００６７】
また、本実施例では、無線端末１０は、さらに、ネットワーク３０への接続が確立した後に基地局２０にデータを要求するデータ要求に無線端末１０の位置座標を付加し、無線端末１０の位置座標を付加した接続要求を基地局２０へ送信する。基地局２０は、無線端末１０から送信されたデータ要求を受信し、データ要求に付加された無線端末１０の位置座標が記憶部２０３に記憶された通信許容範囲に属するか否かを判定する。基地局２０は、無線端末１０の位置座標が通信許容範囲に属する場合には、ネットワーク３０への接続を継続し、無線端末１０の位置座標が通信許容範囲に属さない場合には、ネットワーク３０への接続を切断する。このため、基地局２０は、無線端末１０からネットワーク３０への接続が確立した後であっても、無線端末１０の位置座標が通信許容範囲に属さない場合には、無線端末１０からネットワーク３０への接続を切断することができる。結果として、本実施例の無線通信システムよれば、ネットワークに一旦接続した無線端末を適切に制限することができ、例えば無線ＬＡＮなどのネットワークのセキュリティを一層向上することができる。
【００６８】
また、本実施例では、基地局２０における記憶部２０３は、無線端末１０の端末ＩＤに対応付けて通信許容範囲を記憶部２０３に記憶する。基地局２０は、記憶部２０３に記憶された、接続要求の送信元またはデータ要求の送信元となる端末ＩＤに対応する通信許容範囲に、受信された接続要求またはデータ要求に付加された無線端末１０の位置情報が属するか否かを判定する。これにより、基地局２０は、無線端末１０の所有者ごとに異なる通信許容範囲を設定することができ、無線端末１０の所有者ごとに通信許容範囲の属否の判定を行うことができる。結果として、本実施例の無線通信システムよれば、ネットワークに接続可能な無線端末を無線端末の所有者ごとに個別に制限することができ、例えば無線ＬＡＮなどのネットワークのセキュリティを無線端末の所有者ごとに個別に管理することができる。
【００６９】
また、本実施例では、基地局２０は、通信許容範囲を無線端末１０から取得し、取得された通信許容範囲を自身の記憶部２０３に登録する。このため、本実施例の無線通信システムよれば、通信許容範囲の設定の自由度を向上することができる。
【００７０】
〔ハードウェア構成〕
次に、図９及び図１０を参照して、上記実施例に係る無線端末及び基地局のハードウェア構成について説明する。図９は、無線端末のハードウェア構成図である。図１０は、基地局のハードウェア構成図である。
【００７１】
本実施例に係る無線端末は、図９に示すように、メモリ５０１、プロセッサ５０２、アンテナ５０３、ＲＦ（Radio  Frequency）回路５０４および外部Ｉ／Ｆ５０５を有する。メモリ５０１、ＲＦ回路５０４および外部Ｉ／Ｆ５０５は、それぞれプロセッサ５０２と接続されている。また、アンテナ５０３は、ＲＦ回路５０４と接続されている。
【００７２】
メモリ５０１は、記憶装置である。メモリ５０１は、図２に示した無線制御部１０１、外部Ｉ／Ｆ制御部１０２、位置情報取得部１０３および信号送信部１０４などによる処理を実現する各種プログラムを記憶している。
【００７３】
ＲＦ回路５０４は、アンテナ５０３を介して基地局２０と通信を行う。例えば、ＲＦ回路５０４、プロセッサ５０２およびメモリ５０１により、図２に示した無線制御部１０１の機能が実現される。
【００７４】
外部Ｉ／Ｆ５０５は、ＬＡＮケーブルなどのケーブル（不図示）を介して基地局２０と通信を行う。例えば、外部Ｉ／Ｆ５０５、プロセッサ５０２およびメモリ５０１により、図２に示した外部Ｉ／Ｆ制御部１０２の機能が実現される。
【００７５】
また、プロセッサ５０２およびメモリ５０１は、例えば、図２に示した、位置情報取得部１０３および信号送信部１０４などの機能を実現する。
【００７６】
例えば、プロセッサ５０２は、メモリ５０１に記憶されている各種プログラムを読み出して、メモリ５０１上に各種機能を実現するプロセスを生成する。そして、プロセッサ５０２は、各部と共に、メモリ５０１上に生成されたプロセスを実行することで、各種処理を行う。
【００７７】
また、本実施例に係る基地局は、図１０に示すように、メモリ６０１、プロセッサ６０２、アンテナ６０３、ＲＦ回路６０４および外部Ｉ／Ｆ６０５を有する。メモリ６０１、ＲＦ回路６０４および外部Ｉ／Ｆ６０５は、それぞれプロセッサ６０２と接続されている。また、アンテナ６０３は、ＲＦ回路６０４と接続されている。
【００７８】
メモリ６０１は、記憶装置であり、例えば図４に示す記憶部２０３の機能を実現する。また、メモリ６０１は、図４に示した無線制御部２０１、外部Ｉ／Ｆ制御部２０２、接続制御部２０４、通信許容範囲取得部２０５および通信許容範囲登録部２０６などによる処理を実現する各種プログラムを記憶している。
【００７９】
ＲＦ回路６０４は、アンテナ６０３を介して無線端末１０と通信を行う。例えば、ＲＦ回路６０４、プロセッサ６０２およびメモリ６０１により、図４に示した無線制御部２０１の機能が実現される。
【００８０】
外部Ｉ／Ｆ６０５は、ＬＡＮケーブルなどのケーブル（不図示）を介して基地局２０と通信を行う。例えば、外部Ｉ／Ｆ６０５、プロセッサ６０２およびメモリ６０１により、図４に示した外部Ｉ／Ｆ制御部２０２の機能が実現される。
【００８１】
また、プロセッサ６０２およびメモリ６０１は、例えば、図４に示した、接続制御部２０４、通信許容範囲取得部２０５および通信許容範囲登録部２０６などの機能を実現する。
【００８２】
例えば、プロセッサ６０２は、メモリ６０１に記憶されている各種プログラムを読み出して、メモリ６０１上に各種機能を実現するプロセスを生成する。そして、プロセッサ６０２は、各部と共に、メモリ６０１上に生成されたプロセスを実行することで、各種処理を行う。
【符号の説明】
【００８３】
１０、１０ａ、１０ｂ  無線端末
２０  基地局
３０  ネットワーク
１０１  無線制御部
１０２  外部Ｉ／Ｆ制御部
１０３  位置情報取得部
１０４  信号送信部
２０１  無線制御部
２０２  外部Ｉ／Ｆ制御部
２０３  記憶部
２０４  接続制御部
２０５  通信許容範囲取得部
２０６  通信許容範囲登録部
【図１】
2014007590.tif 000003
【図２】
2014007590.tif 000004
【図３】
2014007590.tif 000005
【図４】
2014007590.tif 000006
【図５】
2014007590.tif 000007
【図６】
2014007590.tif 000008
【図７】
2014007590.tif 000009
【図８】
2014007590.tif 000010
【図９】
2014007590.tif 000011
【図１０】
2014007590.tif 000012